(57)【要約】【課題】構成簡単で組み立てが容易に行なえ、しかもほぼ平行四辺形の軌跡上で往復運動を行なわせるための空間を必要とせず、駆動部を狭い空間内に収納できるようにしたルーバー装置を提供する。【解決手段】等間隔おきに多数枚並設された状態の羽根１が正面形状が矩形の枠体１７で囲まれる空間内に組み込まれ、各羽根１の両端が枠体１７に回転可能に支持され各羽根１の一端側は各羽根１に対する取り付け角度が全てにおいて同じとなるようにリンク８の一端と結合され、リンク８の他端は全てのリンク８に対して１本の連続するロッド１１に枢結されており、何れか１枚の羽根１を回転させることにより全ての羽根１が連動して回転して開閉するように構成した。【選択図】図３
2009197562.tif 000002
【特許請求の範囲】
【請求項１】
等間隔おきに多数枚並設された状態の羽根が正面形状が矩形の枠体で囲まれる空間内に組み込まれ、各羽根の両端が枠体に回転可能に支持され各羽根の少なくとも一方の端部は各羽根に対する取り付け角度が全てにおいて同じとなるようにリンクの一端と結合され、リンクの他端は全てのリンクに対して１本の連続するロッドに枢結されており、何れか１枚の羽根を回転させることにより全ての羽根が連動して回転して開閉するように構成したことを特徴とするルーバー装置。
【請求項２】
リンクは他端側が一端側に比べて外側に向って段差があるように成形されてあり、一端側に比べて外側に向って段差がある他端側にロッドを枢結して、リンクの回転によりリンクとロッドとの枢結部がリンクと軸体との結合部に当たることがないようにしたことを特徴とする請求項１記載のルーバー装置。
【発明の詳細な説明】
【技術分野】
【０００１】
本発明は、例えば室内に入る日差しなどの調整を行なうのに好適なルーバー装置に関するものである。
【背景技術】
【０００２】
従来のこの種ルーバー装置としては、例えば特許文献１に開示されているような、略平行に配置された複数のルーバー羽根の長さ方向の両端部に回転軸部材を取付け、ルーバー羽根の両端部の回転軸部材をルーバー羽根の両端部において一連となった回転支持体に回動自在に支持し、回転軸部材に回転中心より偏心した位置に連結軸を延出し、各連結軸を駆動用の移動体に連係し、移動体を移動させてルーバー羽根を回動させる駆動手段を設け、回転軸部材の外周部の一部に突出させて係合片を設け、回転支持体に係入孔を形成し、係合片を係入孔に貫通して係入孔に対して係合片の位相をずらせて回転軸部材を回転支持体から抜止めして連結し、かつ、係入孔はルーバー羽根の通常の係合片の回動範囲外に設定して成ることを特徴とするルーバー装置が知られている。
【０００３】
そして、この特許文献１に開示されているルーバー装置によれば、駆動手段によって移動体を移動させることで偏心している連結軸を介して回転支持体を回転させてルーバー羽根を回転させることができるものである。
【特許文献１】特許第３６０６２０７号公報
【発明の開示】
【発明が解決しようとする課題】
【０００４】
しかしながら、この特許文献１に記載のルーバー装置の構成では、駆動手段によって移動される移動体の動きは一直線上での動きではなく、ほぼ平行四辺形の軌跡上での往復運動の動きとなり、この移動体の動きを可能とする空間が必要となり、ルーバー装置の取り付け空間に限りがある箇所では取り付けができないという問題がある。
【０００５】
また、この特許文献１に記載のルーバー装置の構成では、回転軸部材の外周部の一部に突出させて係合片を設け、回転支持体に係入孔を形成し、係合片を係入孔に貫通して係入孔に対して係合片の位相をずらせて回転軸部材を回転支持体から抜止めして連結するという構成となっており、細かく複雑な構成を備えることから製造並びに組み立てに手間がかかるという問題がある。
【０００６】
本発明の目的は、このような課題を解決するものであり、構成簡単で組み立てが容易に行なえ、しかもほぼ平行四辺形の軌跡上で往復運動を行なわせるための空間を必要とせず、駆動部を狭い空間内に収納できるようにしたルーバー装置を提供することにある。
【課題を解決するための手段】
【０００７】
本発明の請求項１に記載のルーバー装置は、等間隔おきに多数枚並設された状態の羽根が正面形状が矩形の枠体で囲まれる空間内に組み込まれ、各羽根の両端が枠体に回転可能に支持され各羽根の少なくとも一方の端部は各羽根に対する取り付け角度が全てにおいて同じとなるようにリンクの一端と結合され、リンクの他端は全てのリンクに対して１本の連続するロッドに枢結されており、何れか１枚の羽根を回転させることにより全ての羽根が連動して回転して開閉するように構成したことを特徴とする。
【０００８】
請求項２に記載のルーバー装置は、リンクは他端側が一端側に比べて外側に向って段差があるように成形されてあり、一端側に比べて外側に向って段差がある他端側にロッドを枢結して、リンクの回転によりリンクとロッドとの枢結部がリンクと軸体との結合部に当たることがないようにしたことを特徴とする。
【発明の効果】
【０００９】
以上のように、本発明のルーバー装置は、全ての羽根をリンクとロッドで結合させることにより何れか１枚の羽根を回転させることにより全ての羽根を連動して開閉させることが可能となり、構成簡単で組み立てが容易に行なえ、リンクとロッドからなる駆動部を狭い空間内に収納できるようにしたルーバー装置を提供することができる。
【発明を実施するための最良の形態】
【００１０】
以下、本発明の実施の形態を、図面を用いて具体的に説明する。
先ず、図１〜図７に示す第１の実施の形態について説明すると、１は上下方向に向く羽根で、内部が空洞で軽量に作られていて、等間隔おきに多数枚並設されている。２は各羽根１の上下両端に被さり羽根１の上下両端を閉じるキャップで、羽根１の上端におけるキャップ２の下面には羽根１の上端に嵌入して外面が羽根１の上端内面に当接する補強部材３が一体に設けられ、またこのキャップ２の上面には平面形状が円形の軸体４を介して平面形状が正方形の軸体５が一体に設けられている。また、羽根１の下端におけるキャップ２の上面にも羽根１の下端に嵌入して外面が羽根１の下端内面に当接する補強部材３が一体に設けられ、またこのキャップ２の下面にも底面形状が円形の軸体４を介して底面形状が正方形の軸体５が一体に設けられている。上記多数枚の羽根１は上下両端が支持板６に回転自在に支持される。詳しくは上下の各支持板６は全ての羽根１に亘る長さの１枚の板で構成され、上下の支持板６には羽根１の取り付け位置において円形の孔７が形成され、羽根１の上下の円形の軸体４が上下の支持板６の円形の孔７に嵌入して正方形の軸体５が円形の孔７から突出するようになる。上下の支持板６の内、上側の支持板６の円形の孔７から突出した正方形の軸体５にはフラットな板状のリンク８の一端が結合される。リンク８の一端には軸体５に嵌合する正方形の孔８ａが形成され、この孔８ａを軸体５に嵌合させた状態で孔８ａから突出する軸体５にワッシャ９ａ，９ｂを嵌合させ、かかる状態で軸体５の端面より軸体５に形成されている雌ねじ孔５ａにビス１０をねじ込むことによりリンク８の一端を軸体５に結合させている。各羽根１に対するリンク８の取り付け角度は全てにおいて同じとなるようにリンク８の一端を軸体５に結合させてあり、リンク８の他端は全てのリンク８に対して１本の連続するロッド１１がワッシャ１２を介在させてビス１３とナット１４で枢結されている。前記多数枚の羽根１の内、中央に位置する羽根１の下端の軸体５にはハンドル１５がビス１６により取り付けられ、このハンドル１５により中央に位置する羽根１を鉛直軸心の周りで回転させることにより前記ロッド１１とリンク８を介して全ての羽根１が連動して回転するようになっている。
【００１１】
ところで、ルーバー装置は正面形状が矩形の枠体１７で囲まれる空間内に組み込まれ、各羽根１の下端の底面形状が円形の軸体４は下枠１８の上板部を兼ねる前記支持板６に形成されている孔７に回転可能に嵌り込み、底面形状が正方形の軸体５の下端にスペーサー１９を介して浮き上がり防止金具２０をビス１６により取り付けている。浮き上がり防止金具２０は下枠１８の内部空間を上下に仕切るために下枠１８内において水平に形成された突出片２１の下面に両側が当接するようになる。各羽根１の上端の軸体５に取り付けられるリンク８と、全てのリンク８を繋ぐロッド１１は上枠２２の内部空間に収納され、上枠２２の下板部を兼ねる前記支持板６に形成されている孔７に回転可能に羽根１の上部の平面形状が円形の軸体４が差し込まれた状態で羽根１の上部の平面形状が正方形の軸体５が上枠２２の内部空間内でリンク８を介してロッド１１に結合される。なお、前記中央に位置する羽根１の下部の軸体５に対しハンドル１５は前記浮き上がり防止金具２０の下側から取り付けられ、このハンドル１５は下枠１８の正面の板部２３に形成されている細幅の開口部２４より前方に突出して下枠１８の外側でハンドル１５の操作が行なえるようになっている。
【００１２】
かかる構成により、各羽根１が開かれた状態からハンドル１５を反時計方向に９０度回転操作することにより、ハンドル１５に直結されている中央に位置する羽根１も同方向に９０度回転し、他の羽根１も前記リンク８およびロッド１１を介して同方向に９０度回転して全ての羽根１が同時に閉じられることになる。閉じられた羽根１を開くときは前記ハンドル１５を時計方向に９０度回転操作すれば良い。
【００１３】
次に、図８および図９に示す第２の実施の形態について説明すると、前記第１の実施の形態に使用されるリンク８はフラットな板状となっていて、ハンドル１５により羽根１を９０度以上回転させようとするとリンク８とロッド１１との枢結部がリンク８と軸体５との結合部に当たって９０度を超える回転は不可能となっているが、第２の実施の形態ではリンク８は他端側が一端側に比べて外側に向って段差があるように成形されたものが使用され、一端側に比べて外側に向って段差がある他端側にロッド１１を枢結するようにしてあり、これによりリンク８の回転によりリンク８とロッド１１との枢結部がリンク８と軸体５との結合部に当たるようなことがなく、ハンドル操作により羽根１を３６０度回転させ得るようになっている。
【００１４】
なお、以上述べた２つの実施の形態では、羽根１の上端側、つまり羽根１の一端側にリンク８とロッド１１を介して全ての羽根１を連動するように繋いでいるが、羽根１の下端側、つまり他端側でリンク８とロッド１１を介して全ての羽根１を連動するように繋いでも良く、あるいは羽根１の両端でリンク８とロッド１１を介して全ての羽根１を連動するように繋いでも良い。また、中央に位置する羽根１の下端にハンドル１５を取り付けてハンドル１５操作により全ての羽根１を回転操作するようになっているが、モーター駆動により羽根１を回転させるようにしても良い。
【００１５】
次に、図１０〜図１５に示す第３の実施の形態について説明する。この第３の実施の形態は前記第２の実施の形態の段差のあるリンク８を用いて羽根１を９０度以上、具体的には３６０度回転させる場合のルーバー装置である。前記第２の実施の形態の段差のあるリンク８を用いて羽根１の上端側、つまり羽根１の一端側でロッド１１を介して全ての羽根１を連動するように繋いだ場合、各連結部での遊びにより、一端側に位置する羽根１の回転よりも他端側に位置する羽根１の回転が遅れ、全ての羽根１が完全に同期して開閉することが困難である。特に、全ての羽根１を３６０度回転させようとした場合、一端側に位置する羽根１が９０度回転していても他端側に位置する羽根１が途中までしか回転しておらず、一端側に位置する羽根１を９０度以上回転させようとしても乗り越えることができないという問題が生じる。そこで、全ての羽根１を完全に同期させて、全ての羽根１を特に９０度を超えて回転させるために、第３の実施の形態では、羽根１の下端側、つまり羽根１の他端側において一端側に位置する羽根１と他端側に位置する羽根１とを前記リンク８と同様に段差のあるリンク２５と前記ロッド１１と同様のロッド２６を介して繋ぐものである。この場合、下側の支持板６から突出する軸体５にリンク２５の一端が結合される。リンク２５の一端には前記リンク８と同様に下端の軸体５に嵌合する正方形の孔２５ａが形成され、この孔２５ａを軸体５に嵌合させた状態で軸体５の端面にワッシャ９を当接させ、軸体５に形成されている雌ねじ孔５ａにビス１０をねじ込むことによりリンク２５の一端を軸体５に結合させている。両端の羽根１に対するリンク２５の取り付け角度は各羽根１の上端に結合されるリンク８の取り付け角度とは異ならしており、図面に示す実施の形態では９０度異ならしている。両端の羽根１の下端に取り付けられたリンク２５の他端には１本の連続するロッド２６の両端がワッシャ１２を介在させてビス１３とナット１４で枢結されている。なお、両端の羽根１を除く他の羽根１の下端はこの第３の実施の形態では軸体５の端面にワッシャ９を当接させ、軸体５に形成されている雌ねじ孔５ａにビス１０をねじ込むことにより下側の支持板６からの抜け外れを防止している。さらに、この第３の実施の形態では上側の支持板６から突出する軸体５にリンク８の一端の正方形の孔８ａを嵌合させた状態で軸体５の端面にワッシャ９を当接させ、軸体５に形成されている雌ねじ孔５ａにビス１０をねじ込むことによりリンク８の一端を軸体５に結合させている。リンク８の他端とロッド１１との結合は第１の実施の形態と同様である。
【００１６】
このように、羽根１の一端側で全ての羽根１を繋ぐリンク８の取り付け角度と、羽根１の他端側で両端の羽根１のみを繋ぐリンク２５の取り付け角度とを異ならしてあることにより、全ての羽根１を完全に同期させて、全ての羽根１を３６０度、つまり全回転させることが可能となるもので、前記第１の実施の形態で設けたハンドル１５を用いずに、何れか１枚の羽根１、例えば一端側に位置する羽根１もしくは他端側に位置する羽根１を手で回転させれば良い。
【００１７】
なお、この第３の実施の形態では両端に位置する羽根１同士をリンク２５とロッド２６で繋ぐように構成してあるが、両端に近い位置の羽根１同士をリンク２５とロッド２６で繋ぐようにしても良い。また、羽根１の上端側である一端側もしくは羽根１の下端側である他端側で全ての羽根１をリンク８とロッド１１で繋ぐとともに、両端もしくは両端に近い位置の羽根１同士をリンク２５とロッド２６で繋ぐようにしても良い。
【００１８】
また、上記した実施の形態のルーバー装置では各羽根１は鉛直軸心の周りで回転するように上下方向に向いているが、各羽根１が水平軸心の周りで回転するように水平方向に配設することも可能である。そして、このルーバー装置は例えば室内に入る日差しなどの調整を行なうルーバー装置、あるいは各羽根１の表裏両面に絵や模様などを画し、宣伝広告媒体用のルーバー装置などに利用できるものである。さらには、建物のバルコニーの手摺部に配設することも可能である。
【００１９】
さらに、図１６に示す第４の実施の形態のように、例えば、多数枚の羽根１の左側半分（もしくは上側半分）を開、右側半分（もしくは下側半分）を閉となるように構成することも可能である。
【図面の簡単な説明】
【００２０】
【図１】本発明の第１の実施の形態のルーバー装置の主要部の分解斜視図である。
【図２】同ルーバー装置を枠体の下枠と上枠との間に組み込んだ状態を示す斜視図である。
【図３】図２の要部拡大切欠き斜視図である。
【図４】同羽根とリンクとの結合部の拡大断面図である。
【図５】同ルーバー装置を枠体に組み込んだ状態を示す正面図である。
【図６】図５のＸ−Ｘ断面図である。
【図７】同ルーバー装置の動作説明平面図である。
【図８】本発明の第２の実施の形態のルーバー装置に使用されるリンクの斜視図である。
【図９】同羽根に結合されたリンクとロッドとの枢結部を示す要部拡大切欠き斜視図である。
【図１０】本発明の第３の実施の形態のルーバー装置の主要部の分解斜視図である。
【図１１】同ルーバー装置を枠体の下枠と上枠との間に組み込んだ状態を下方から見た斜視図である。
【図１２】同羽根の上端に結合されたリンクとロッドとの枢結部を示す要部拡大切欠き斜視図である。
【図１３】図１１の要部拡大切欠き斜視図である。
【図１４】（Ａ）は同ルーバー装置の羽根が開いた状態における羽根の上端部のリンクとロッドの関係を示す平面図、（Ｂ）は同ルーバー装置の羽根が開いた状態における羽根の下端部のリンクとロッドの関係を示す底面図である。
【図１５】（Ａ）は同ルーバー装置の羽根が閉じた状態における羽根の上端部のリンクとロッドの関係を示す平面図、（Ｂ）は同ルーバー装置の羽根が閉じた状態における羽根の下端部のリンクとロッドの関係を示す底面図である。
【図１６】本発明の第４の実施の形態におけるルーバー装置の正面図である。
【符号の説明】
【００２１】
１            羽根
２            キャップ
３            補強部材
４，５        軸体
５ａ          雌ねじ孔
６            支持板
７            孔
８            リンク
８ａ          孔
９ａ，９ｂ    ワッシャ
１０            ビス
１１            ロッド
１２            ワッシャ
１３            ビス
１４            ナット
１５            ハンドル
１６            ビス
１７            枠体
１８            下枠
１９            スペーサー
２０            浮き上がり防止金具
２１            突出片
２２            上枠
２３            板部
２４            細幅の開口部
２５            リンク
２５ａ          孔
２６            ロッド
【図１】
2009197562.tif 000003
【図２】
2009197562.tif 000004
【図３】
2009197562.tif 000005
【図４】
2009197562.tif 000006
【図５】
2009197562.tif 000007
【図６】
2009197562.tif 000008
【図７】
2009197562.tif 000009
【図８】
2009197562.tif 000010
【図９】
2009197562.tif 000011
【図１０】
2009197562.tif 000012
【図１１】
2009197562.tif 000013
【図１２】
2009197562.tif 000014
【図１３】
2009197562.tif 000015
【図１４】
2009197562.tif 000016
【図１５】
2009197562.tif 000017
【図１６】
2009197562.tif 000018